(57)【要約】      （修正有）【課題】袋本体の口を開いたとき、袋本体の底部が漏斗の如く細長い形状になると共に、開いた口縁が湾曲せずに略水平となる嗜好性飲料抽出袋を提供する。【解決手段】この嗜好性飲料抽出袋は、コーヒー粉等の被抽出物を収納しコーヒー等を抽出するための袋本体１と、袋本体１の表裏面に貼着された係止具２とからなる。袋本体１は、左右対称の略五角形片が重ね合わされてなる。重ね合わされた略五角形片の下端から左右の延びる下左右辺δ及びεは封されている。略五角形片の下端が袋本体１の底部１ｂに相当する。略五角形片の水平である上辺α及び上辺αに連続している上左右辺β及びγが袋本体１の口１ａに相当する。【選択図】図３
2015077389.tif 000002
【特許請求の範囲】
【請求項１】
コーヒー粉等の被抽出物を収納しコーヒー等を抽出するための袋本体と、該袋本体の表裏面に貼着された係止具とからなる嗜好性飲料抽出袋において、
該袋本体は
2015077389.tif 000004
なる左右対称の略五角形片が重ね合わされてなるものであり、該略五角形片の下端から左右の延びる下左右辺は封されていて、該略五角形片の下端が該袋本体の底部に相当し、該略五角形片の水平である上辺及び該上辺に連続している上左右辺が該袋本体の口に相当することを特徴とする嗜好性飲料抽出袋。
【請求項２】
略五角形片の下端のなす角度が９０度であり、上辺と該上辺に連続している上左右辺のなす各角度が１３５度±５％である請求項１記載の嗜好性飲料抽出袋。
【請求項３】
係止具が上辺及び該上辺に連続している上左右辺を持つ形状であって、該係止具の該上辺は袋本体の上辺に平行であり、該係止具の該上辺に連続している該上左右辺は袋本体の上辺に連続している上左右辺に平行である請求項１記載の嗜好性飲料抽出袋。
【請求項４】
下左右辺の封は、下左右辺と平行になされている請求項１記載の嗜好性飲料抽出袋。
【請求項５】
下左右辺の封が、下左右辺と平行になされていると共に、上左右辺に至る直前で内側に曲がってなされている請求項１記載の嗜好性飲料抽出袋。
【発明の詳細な説明】
【技術分野】
【０００１】
本発明は、コーヒー粉や茶葉等を収納してなる嗜好性飲料抽出袋に関し、注湯しやすく、かつ、コクのある風味の嗜好性飲料が得られる嗜好性抽出袋に関するものである。
【背景技術】
【０００２】
嗜好性飲料抽出袋は、その内部にコーヒー粉や茶葉等の被抽出物を収納してなるものであり、袋の口を開いて湯を注ぐことによって、コーヒーや茶が抽出されるものである。かかる嗜好性飲料抽出袋としては種々のタイプがあるが、図１及び図２に示したタイプのものが知られている。すなわち、コーヒー粉等の被抽出物を収納しコーヒー等を抽出するための袋本体１と、この袋本体１の表裏面に貼着された係止具２とからなるものが知られている（特許文献１）。袋本体１は通水性の不織布や紙を素材として形成されており、係止具２は通水性のない厚手の紙を素材として形成されている。そして、表裏面に貼着された各係止具２は、手指で持って相互に反対方向に引っ張られ、袋本体１の口１ａが開けられて、その口１ａから湯が注がれるのである。
【０００３】
袋本体１の形状が長方形である図１に示した抽出袋は、口１ａを開けた場合、全体が略直方体形状となり、その底部１ｂが漏斗の如く細長い形状にならず、注いだ湯の滞留時間が短く、抽出が不十分となることがあった。たとえば、コーヒー粉の場合、抽出されたコーヒーが薄く、糖度も低いものとなり、コクのある風味のコーヒーが得られにくいという欠点があった。一方、袋本体１の形状が扇形である図２に示した抽出袋は、口１ａを開けた場合、全体が略円錐形状となり、その底部１ｂが漏斗の如く細長い形状となっているため、注いだ湯の滞留時間が長くなり、十分に抽出された嗜好性飲料を得ることができる。しかしながら、図２に示した袋本体１の場合、口１ａを開いたとき、略円錐形状の口縁が水平にならず、大きく湾曲した形状となる。したがって、湾曲した最上位置と最下位置との差が大きく、湯を注ぐと、最下位置から湯が外に漏れてしまうという欠点があった。
【０００４】
【特許文献１】特開平０６−３２７５６３号公報（図１及び図６）
【発明の開示】
【発明が解決しようとする課題】
【０００５】
本発明の課題は、袋本体１の口１ａを開いたとき、袋本体１の底部１ｂが漏斗の如く細長い形状になると共に、開いた口縁が湾曲せずに略水平となる嗜好性飲料抽出袋を提供することにある。
【課題を解決するための手段】
【０００６】
本発明は、袋本体１の形状を工夫することによって、上記課題を解決したものである。すなわち、本発明は、コーヒー粉等の被抽出物を収納しコーヒー等を抽出するための袋本体１と、該袋本体１の表裏面に貼着された係止具２とからなる嗜好性飲料抽出袋において、該袋本体１は、
2015077389.tif 000003
なる左右対称の略五角形片が重ね合わされてなるものであり、該略五角形片の下端から左右に延びる下左右辺は封されていて、該略五角形片の下端が該袋本体の底部に相当し、該略五角形片の水平である上辺及び該上辺に連続している上左右辺が該袋本体の口に相当することを特徴とする嗜好性飲料抽出袋に関するものである。
【０００７】
本発明の袋本体１は、図３に示す如く左右対称の略五角形片の形状を持つ（係止具２の図示は省略してある。）。ここで、略五角形片というのは、基本的に五角形なる形状を持つ片を意味しており、上記図の各角が若干切除されていても又は各角が丸みを持っていても、上辺α、上右辺β、上左辺γ、下右辺δ及び下左辺εの五辺で、基本的に形成されてなる片のことを意味している。重ね合わされた表裏の略五角形片の下左右辺δ及びεは、熱シール等で封されている。そして、上辺α、上左右辺β及びγは封されておらず、袋本体１を開いたときは、この上辺α、上左右辺β及びγが袋本体１の口１ａになる。下左右辺δ及びεの交点は袋本体１の底部１ｂとなるもので、この交点のなす角度は９０度であるのが好ましい。もちろん、厳密に９０度である必要はなく、８５〜９４度程度の範囲の誤差があってもよい。上辺αと上右辺β及び上αと上左辺γのなす角度は、１３５度±５％程度の範囲が好ましい。
【０００８】
袋本体１の表裏に貼着される係止具２は、従来公知のものを適宜採用すればよい。たとえば、図１及び図２に図示された係止具２を用いてもよいし、図４に図示された上片及び上左右片を持つ係止具を用いてもよい。好ましいのは、係止具２の上辺が袋本体１の上辺αに平行であり、係止具２の上辺に連続している上左右辺が袋本体１の上辺αに連続している上左右辺β及びγに平行のものである。具体的には、図４に示した形状を持つものが最も好ましい。
【０００９】
袋本体１は、従来公知の不織布や紙を素材として形成されている。また、係止具２も、従来公知の厚手の紙等を素材として形成されている。袋本体１の素材として、熱可塑性繊維を構成繊維とする不織布を用いた場合、下左右辺δ及びεは、熱シールで封するのが好ましい。図４に示した嗜好性飲料抽出袋において、下左右辺δ及びεは、下左右辺δ及びεに沿って平行に表裏が封緘部３にて熱シールされている。図４に示した嗜好性飲料抽出袋の口を開くと、その口１ａは概ね図６に示したような形状となる。すなわち、上辺α、上左右辺β及びγは、完全に外に開いた状態となる。
【００１０】
図７に示した嗜好性飲料抽出袋は、基本的には図４に示した嗜好性飲料抽出袋の範疇に属するものであるが、封緘部３に特徴を有するものである。すなわち、封緘部３は、袋本体の底部１ｂから袋本体の口１ａに至る直前まで、下左右辺δ及びεに沿って平行に表裏が熱シール等で封されているが、その直後から袋本体の口１ａに相当する上左右辺β及びγに至る間、内側に曲がって熱シール等で封されている。曲がった封緘部３の長さは任意であるが、一般的に５〜１０ｍｍ程度でよく、特に５〜６ｍｍ程度であるのが好ましい。図７に示した嗜好性飲料抽出袋の口を開くと、その口１ａは概ね図８に示したような形状となる。すなわち、図６に示したように、上左右辺β及びγが完全に外に開いた状態とならず、熱封緘部３近傍で内側に傾倒した状態となる。これは熱封緘部３が内側に曲がっているからである。なお、図８における薄墨部は、口１ａの背後に現れる袋本体の一部を示したものである。したがって、図７に示した嗜好性飲料抽出袋は、図４に示した嗜好性飲料抽出袋に比べて、注湯したときに、袋の口縁から外に湯が漏れにくいものである。なお、図７においては、下左右辺δ及びεに沿って平行に封緘部３を設けた後、さらに内側に曲がる熱封緘部３を設けているが、平行な封緘部３と内側に曲がる熱封緘部３とを一挙に設けてもよい。
【発明の効果】
【００１１】
本発明に係る嗜好性飲料抽出袋は、袋本体１の口を開いたとき、袋本体１の底部１ｂが漏斗の如く細長い形状になる。しかも、開いた口縁を形成する上辺α、上左右辺β及びγは略水平となる。したがって、本発明に係る嗜好性飲料抽出袋を用いれば、略水平の位置まで大量に湯を注ぐことができると共に、底部１ｂが漏斗の如く細長い形状となっているので、注いだ湯の滞留時間が長くなる。よって、十分に抽出された、コクのある風味の嗜好性飲料を得ることができるという効果を奏する。
【００１２】
また、下左右辺の封を上左右辺に至る直前で内側に曲がってなし、熱封緘部が内側に曲がるようにすると、袋本体１の口を開いたとき、開いた口縁を形成する上辺α、上左右辺β及びγは略水平となると共に、熱封緘部近傍で内側に傾倒する。したがって、注湯したときに、内側に傾倒した口縁で湯がせき止められ、湯が外側に漏れにくいという効果を奏する。
【実施例】
【００１３】
実施例１
図４に示した嗜好性飲料抽出袋を用いて、袋本体の口を開けると共に係止具を引き起こしてカップの縁に係止した。袋本体の形状は、以下のとおりである。なお、袋本体は、不織布を素材として形成されている。
上辺αの長さ                  ：５５ｍｍ
上右辺βの長さ                ：４０ｍｍ
上左辺γの長さ                ：４０ｍｍ
下左辺δの長さ                ：７５ｍｍ
下右辺εの長さ                ：７５ｍｍ
上辺αと上右辺βの交点の角度  ：１３５度
上辺αと上左辺γの交点の角度  ：１３５度
上右辺βと下右辺δの交点の角度：９０度
上左辺γと下左辺εの交点の角度：９０度
下右辺δと下左辺εの交点の角度：９０度
【００１４】
この嗜好性飲料抽出袋を開いて、種々の口径のカップに係止した状態を示したのが、図５である。カップの口径を種々変更して、段差Ｈと底部の開き角Θを測定したところ、表１のとおりであった。
［表１］
━━━━━━━━━━━━━━━━━━━━━━━━━━━━━━
カップの口径            段  差  Ｈ        底部の開き角Θ
━━━━━━━━━━━━━━━━━━━━━━━━━━━━━━
９０ｍｍ              ０．０ｍｍ            ６０°
８５ｍｍ              ０．０ｍｍ            ６０°
８０ｍｍ              ０．０ｍｍ            ６０°
７５ｍｍ              ２．５ｍｍ            ６０°
７０ｍｍ              ５．０ｍｍ            ６０°
６５ｍｍ              ７．５ｍｍ            ６０°
６０ｍｍ            １０．０ｍｍ            ６０°
５５ｍｍ            １２．５ｍｍ            ５０°
５０ｍｍ            １５．０ｍｍ            ５０°
━━━━━━━━━━━━━━━━━━━━━━━━━━━━━━
【００１５】
通常市販されているカップの口径は７０〜９０ｍｍ程度が一般的である。したがって、表１の結果から、７０〜９０ｍｍ程度のの口径のカップにおいては、段差は５．０ｍｍしか生ぜず、また、底部の開き角は６０°である。なお、図５における上辺αの一部の傾きによって生じる段差は約５ｍｍである。よって、実施例に係る嗜好性飲料抽出袋を、一般に市販されているカップに適用した場合、袋本体１の底部１ｂが漏斗の如く細長い形状になると共に、開いた口縁が湾曲せずに略水平となり、コクのある風味の嗜好性飲料を得ることができる。
【００１６】
実施例２
図７に示した嗜好性飲料抽出袋を用いて、袋本体の口を開けると共に係止具を引き起こしてカップの縁に係止した。袋本体の形状は、実施例１と同様であるが、封緘部近傍で口縁が内側に傾倒しており、注湯したときに、湯が外部へ漏れにくいものであった。なお、曲げた熱封緘部の長さは５ｍｍであった。
【図面の簡単な説明】
【００１７】
【図１】従来の一例に係る嗜好性飲料抽出袋の表面図である。
【図２】従来の他の例に係る嗜好性飲料抽出袋の表面図である。
【図３】本発明の袋本体の形状の一例を示す表面図である。
【図４】本発明の一例に係る嗜好性飲料抽出袋の表面図（表面写真）である。裏面図は表面図と同一である。なお、黒地色の箇所は背景であり、右端の白地色の箇所は符号を書するために設けたものである。
【図５】図４に示した嗜好性飲料抽出袋の係止具を引き起こして、袋本体の口を開いたときの模式的左側面図である。
【図６】図４に示した嗜好性飲料抽出袋の係止具を引き起こして、袋本体の口を開いたときの平面図であり、口の形状のみを示したものである。
【図７】本発明の他の例に係る嗜好性飲料抽出袋の表面図（表面写真）である。裏面図は表面図と同一である。なお、黒地色の箇所は背景であり、右端の白地色の箇所は符号を書するために設けたものである。
【図８】図７に示した嗜好性飲料抽出袋の係止具を引き起こして、袋本体の口を開いたときの平面図であり、口の形状と封緘部３近傍の背後（薄墨部）のみを示したものである。
【符号の説明】
【００１８】
１          袋本体
２          係止具
３          封緘部
１ａ        袋本体の口
１ｂ        袋本体の底部
α          略五角形片の上辺
β          略五角形片の上右辺
γ          略五角形片の上左辺
δ          略五角形片の下右辺
ε          略五角形片の下左辺
【図１】
2015077389.tif 000005
【図２】
2015077389.tif 000006
【図３】
2015077389.tif 000007
【図５】
2015077389.tif 000008
【図６】
2015077389.tif 000009
【図８】
2015077389.tif 000010
【図４】
2015077389.tif 000011
【図７】
2015077389.tif 000012